(57)【要約】  水と風味付け飲料を分配するための液体ディスペンサ。ディスペンサは、冷やした飲料水、温かい飲料水、及び／又は常温の飲料水を吐出してもよい。ディスペンサは、さらに、冷えた、常温の及び／又は温かい風味付け飲料を吐出してもよい。風味付け飲料は、コーヒー、紅茶、ホットチョコレート又は他の風味付け飲料であってもよい。ディスペンサは、ディスペンサの下部に格納された交換可能な５ガロンのウォーターボトル又は水の外部供給源を含むことができる。好ましくは、液体ディスペンサは、ディスペンサの下部に格納された交換可能な５ガロンのウォーターボトルから、冷えた飲料水及びホットコーヒーを吐出するものであり、交換可能な５ガロンウォーターボトルは、直立姿勢で格納され、すなわち、交換可能な５ガロンウォーターボトルの排出口が交換可能な５ガロンウォーターボトルの底部に配置されている。
2022501272.tif 000002
【特許請求の範囲】
【請求項１】
水と風味付け飲料を分配する液体ディスペンサであって、前記液体ディスペンサは、
（ａ）水吐出アセンブリ、風味付け飲料吐出アセンブリ、及びメイン貯水器からなり、前記液体ディスペンサはさらに水吐出アセンブリの少なくとも一部分と、風味付け飲料吐出アセンブリの少なくとも一部分と、メイン貯水器を収納するメインハウジングとを含み、
（ｂ）前記風味付け飲料吐出アセンブリは一人前分量の風味付け飲料を吐出するためのポッドを受け取るポッド受け取り部材を有し、及び
（ｃ）前記風味付け飲料吐出アセンブリは前記ハウジングから取り外し可能とされ、前記風味付け飲料吐出アセンブリが交換され又は消毒される、
ことを特徴とする液体ディスペンサ。
【請求項２】
（ａ）前記水吐出アセンブリが前記メインハウジングから取り外し可能とされ、前記水吐出アセンブリが交換され又は消毒されることを特徴とする請求項１に記載の液体ディスペンサ。
【請求項３】
（ａ）前記風味付け飲料吐出アセンブリはさらに給水口と風味付け飲料を吐出する排出口を備え、前記メインハウジングから前記風味付け飲料吐出アセンブリが取り外されると、前記ポッド受け取り部材、風味付け飲料を吐出する前記排出口、及び前記風味付け飲料吐出アセンブリの前記給水口が単一のユニットとして取り外されることを特徴とする請求項２に記載の液体ディスペンサ。
【請求項４】
（ａ）風味付け飲料を吐出する前記排出口の少なくとも一部分が前記メインハウジングの外側に配置され、
（ｂ）前記水吐出アセンブリは水を吐出するための水排出口を含み、前記水排出口が風味付け飲料を吐出する前記排出口から離間されていることを特徴とする請求項３に記載の液体ディスペンサ。
【請求項５】
（ａ）前記風味付け飲料吐出アセンブリは前記ポッド受け取り部材を収容するためのハウジングを含み、前記風味付け飲料吐出アセンブリの前記ハウジングは開放位置と閉鎖位置との間を移動可能なカバーを含み、前記風味付け飲料吐出アセンブリの前記カバーが開放位置にあるとき、一人前分量の風味付け飲料を吐出するポッドが前記ポッド受け取り部材から取り外し又は挿入され、前記風味付け飲料吐出アセンブリの前記ハウジングの前記カバーが前記液体ディスペンサの前記メインハウジングの外側に配置され、
（ｃ）前記メインハウジングは、開放位置と閉鎖位置との間で移動可能なメインハウジングカバーを含み、前記メインハウジングカバーが前記開放位置にあるとき、個人が前記風味付け飲料吐出アセンブリ及び前記水吐出アセンブリにアクセス及び取り外しができることを特徴とする請求項４に記載の液体ディスペンサ。
【請求項６】
（ａ）前記風味付け飲料吐出アセンブリの前記ハウジングは、枢動ラッチを受け取るための少なくとも１つのラッチ受け取り部を含み、枢動ラッチは、前記枢動ラッチの一部が前記風味付け飲料吐出アセンブリの取り外しを防止するために前記少なくとも１つのラッチ受け取り部内に延びるロック位置と、前記駆動ラッチのどの部分も前記風味付け飲料吐出アセンブリの取り外しを可能にするために前記少なくとも１つのラッチ受け取り部に延在しない非ロック位置との間を移動可能であることを特徴とする請求項５に記載の液体ディスペンサ。
【請求項７】
さらに、（ａ）前記水吐出アセンブリ内の水を前記風味付け飲料吐出アセンブリに運ぶために、前記水吐出アセンブリを前記風味付け飲料吐出アセンブリに接続させる少なくとも１つの導管を含んでいることを特徴とする請求項６に記載の液体ディスペンサ。
【請求項８】
さらに、（ａ）前記風味付け飲料吐出アセンブリに温水を送るための前記少なくとも１つの導管に接続される発熱体を含むことを特徴とする請求項７に記載の液体ディスペンサ。
【請求項９】
水と風味付け飲料を分配するための液体ディスペンサであって、前記液体ディスペンサは
（ａ）水吐出アセンブリ、風味付け飲料吐出アセンブリ及び貯水器からなり、前記液体ディスペンサは、さらに水吐出アセンブリの少なくとも一部分と、風味付け飲料吐出アセンブリの少なくとも一部分と、貯水器を収納するための液体ディスペンサハウジングとを含み、
（ｂ）前記風味付け飲料吐出アセンブリは、前記液体ディスペンサハウジングから取り外し可能で、前記風味付け飲料吐出アセンブリの交換又は消毒を可能とし、
（ｃ）前記水吐出アセンブリは、前記液体ディスペンサハウジングから取り外し可能で、前記水吐出アセンブリの交換又は消毒を可能とし、
（ｄ）前記水吐出アセンブリは、前記貯水器に接続されて前記貯水器から水を受け取り、前記風味付け飲料吐出アセンブリは前記水吐出アセンブリに接続されて前記水吐出アセンブリから水を受け取る、
ことを特徴とする液体ディスペンサ。
【請求項１０】
（ａ）前記風味付け飲料吐出アセンブリは、一人前分量の風味付け飲料を吐出するポッドを受け取るためのポッド受け取り部材を含み、さらに、前記風味付け飲料吐出アセンブリは風味付け飲料を吐出するための給水口及び排出口を含み、前記風味付け飲料吐出アセンブリが前記液体ディスペンサハウジングから取り外されると、前記ポッド受け取り部材、 風味付け飲料を吐出するための前記排出口及び前記風味付け飲料吐出アセンブリの前記給水口は、単一のユニットとして前記液体ディスペンサハウジングから取り外し可能に構成されていることを特徴とする請求項９に記載の液体ディスペンサ。
【請求項１１】
（ａ）風味付け飲料を吐出するための前記排出口の少なくとも一部が、前記液体ディスペンサハウジングの外側に配置されていることを特徴とする請求項１０に記載の液体ディスペンサ。
【請求項１２】
（ａ）前記風味付け飲料吐出アセンブリは前記ポッド受け取り部材を収容するためのハウジングを含み、前記風味付け飲料吐出アセンブリの前記ハウジングは開放位置と閉鎖位置との間を移動可能なカバーを含み、前記風味付け飲料吐出アセンブリの前記ハウジングの前記カバーが開放位置にあるとき、一人前分量の風味付け飲料を吐出するポッドが前記ポッド受け取り部材から取り外し又は挿入され、前記風味付け飲料吐出アセンブリの前記ハウジングの前記カバーが前記液体ディスペンサハウジングの外側に配置され、
（ｃ）前記液体ディスペンサハウジングは、開放位置と閉鎖位置との間で移動可能な液体ディスペンサカバーを含み、前記液体ディスペンサカバーが前記開放位置にあるとき、個人が前記風味付け飲料吐出アセンブリ及び前記水吐出アセンブリにアクセス及び取り外しができることを特徴とする請求項１１に記載の液体ディスペンサ。
【請求項１３】
（ａ）前記風味付け飲料吐出アセンブリの前記ハウジングが、ロック部材を受け取るための少なくとも１つのロック部分を含み、ロック部材は、前記ロック部材の一部が前記風味付け飲料吐出アセンブリの取り外しを防止するために前記少なくとも１つのロック部分に接続されるロック位置と前記ロック部材のどの部分も前記風味付け飲料吐出アセンブリの取り外しを可能にするために前記少なくとも１つのロック部分に接続されていない非ロック位置との間で移動可能とされていることを特徴とする請求項１２に記載の液体ディスペンサ。
【請求項１４】
さらに、（ａ）前記水吐出アセンブリ内の水を前記風味付け飲料吐出アセンブリに運ぶために、前記水吐出アセンブリを前記風味付け飲料吐出アセンブリに接続させる少なくとも１つの導管を含んでいることを特徴とする請求項１３に記載の液体ディスペンサ。
【請求項１５】
さらに、（ａ）前記風味付け飲料吐出アセンブリに加熱水を送るための前記少なくとも１つの導管に接続される発熱体を含むことを特徴とする請求項１４に記載の液体ディスペンサ。
【請求項１６】
水と風味付け飲料を分配するための液体ディスペンサであって、前記液体ディスペンサは、
（ａ）水吐出アセンブリ、風味付け飲料吐出アセンブリ及び貯水器と、さらに前記液体ディスペンサは、水吐出アセンブリの少なくとも一部分と、風味付け飲料吐出アセンブリの少なくとも一部分と、貯水器を収納するための液体ディスペンサハウジングとを含み、
（ｂ）前記貯水容器から前記水吐出アセンブリ及び前記風味付け飲料アセンブリに水を汲み上げるための単一のウォーターポンプと、
（ｃ）前記単一のウォーターポンプに動作可能に接続されて、前記水吐出アセンブリによって吐出される前記液体から排出される水よりも低い圧力で前記風味付け飲料吐出アセンブリに水を供給する制御システムと
を含むことを特徴とする液体ディスペンサ。
【請求項１７】
（ａ）前記風味付け飲料吐出アセンブリに水を供給するとき、前記制御システムは、前記単一ウォーターポンプが作動しているオンサイクルと前記単一ウォーターポンプが作動していないオフサイクルとの間で前記単一ウォーターポンプを循環させるように構成され、
（ｂ）前記オンサイクルの間、前記制御システムは、電子パルス幅変調器を使用して、前記風味付け飲料吐出アセンブリに供給される水の圧力をさらに下げるように構成されていることを特徴とする請求項１６に記載の液体ディスペンサ。
【請求項１８】
（ａ）上記のオンサイクルは２秒であり、上記のオフサイクルは３秒であることを特徴とする請求項１７に記載の液体ディスペンサ。
【請求項１９】
（ａ）前記水吐出アセンブリは、前記液体ディスペンサハウジングから取り外し可能で、前記水吐出アセンブリを交換又は消毒することができ、
（ｂ）前記風味付け飲料吐出アセンブリは、前記液体ディスペンサハウジングから取り外し可能で、前記風味付け飲料吐出アセンブリを交換又は消毒することができ、且つ、前記風味付け飲料吐出アセンブリが一人前分量の風味付け飲料を吐出するためのポッドを受け取るポッド受け取り部材を含んでいることを特徴とする請求項１８に記載の液体ディスペンサ。
【請求項２０】
さらに、（ａ）前記水吐出アセンブリ内の水を前記風味付け飲料吐出アセンブリに運ぶために、前記水吐出アセンブリを前記風味付け飲料吐出アセンブリに接続させる少なくとも１つの導管を含んでいることを特徴とする請求項１９に記載の液体ディスペンサ。
【発明の詳細な説明】
【技術分野】
【０００１】
本発明は、水と風味付け飲料を分配するディスペンス装置に関する。ディスペンス装置は、冷たい飲料水、温かい飲料水、及び／又は常温の飲料水を吐出することができる。ディスペンス装置は、冷たい、常温の、及び／又は温かい風味付け飲料を吐出することができる。風味付け飲料は、コーヒー、紅茶、ホットチョコレート又は他の風味付け飲料であってもよい。ディスペンス装置は、直立方向のディスペンス装置のハウジングの下部に格納される交換可能な５ガロンのウォーターボトルを含んでいてもよく、すなわち、交換可能な５ガロンのウォーターボトルの排出口はその底部の上に設けられている。その最も好ましい形態では、本発明は、冷やされた飲料水及びホットコーヒー又は別の温かい風味付け飲料を分配するための液体ディスペンス装置に関する。しかし、内部水源（例えば、５ガロンのウォーターボトル）の代わりに、ディスペンス装置をディスペンス装置外部の水源に接続することができる。例えば、ディスペンス装置は、建物構造（例えば、家、オフィスビル、ホテルなど）の水システムに接続することができる。この際、ディスペンス装置は、フィルタシステムを備えて、ディスペンス装置のハウジングの内部に配置させ、ディスペンス装置から分配される水の品質を保証するようにしてもよい。
【背景技術】
【０００２】
既存のウォーターディスペンサは、ウォーターディスペンサから水を吐出するための駆動力として重力を使用する。このタイプのウォーターディスペンサでは、ウォーターボトルは吐出位置より上に配置される。これらのディスペンサは、「トップローディング式」ウォーターディスペンサと呼ばれる。トップローディング式ウォーターディスペンサは、通常、ウォーターディスペンサの最上部に５ガロンのウォーターボトルを受け入れるための手段を備えている。５ガロンのウォーターボトルは非常に重いため、冷水器の最上部にウォーターボトルを取り付けるのが難しい人もいる。トップローディング式ウォーターディスペンサは、通常、人が飲用する水を吐出する。従って、ウォーターディスペンサの水との接触面を定期的に洗浄することが重要である。洗浄工程は、一般には、「消毒」として知られている。米国特許第５，３６１，９４２号及び第５，４３９，１４５号は、消毒工程を改善するように設計されたトップローディング式ウォーターディスペンサを開示している。エバック  リミティッド（Ｅｂａｃ  Ｌｉｍｉｔｅｄ）は、取り外し可能なマニホールドユニット、リザーバ、及び関連するプラスチック管又はゴム管を含み、米国特許第５，３６１，９４２号及び第５，４３９，１４５号に開示された機能の少なくとも幾つかを利用して消毒工程が改善されるよう設計されたトップローディング式ウォーターディスペンサを販売している。この取り外し可能なアセンブリは、エバック  リミティッド（Ｅｂａｃ  Ｌｉｍｉｔｅｄ）の商標である「ＷＡＴＥＲＴＲＡＩＬ」を附して販売されている。
【０００３】
トップローディング式ウォーターディスペンサの問題点を克服するために、ウォーターボトルをウォーターディスペンサの下部に格納するウォーターディスペンサが提案されている。これらのシステムは、飲料水を吐出するために重力に頼ることができないので、一般にはポンプを使用して、飲料水をウォーターボトルの上方に位置する吐出位置まで汲み上げている。本明細書では、これらのウォーターディスペンサを「ボトムローディング式」ウォーターディスペンサと呼ぶ。このようなウォーターディスペンサの例は、米国特許公開第２００５／００７２８１３号に開示されている。ボトムローディング式ウォーターディスペンサは、トップローディング式ウォーターディスペンサに関連するウォーターボトルの設置問題に対処している。しかし、ボトムローディング式ウォーターディスペンサは、トップローディング式ウォーターディスペンサに比べて、水に接触する部品が大幅に多く、そのため、有効な消毒は難しいという問題があった。エバック  リミティッド（Ｅｂａｃ  Ｌｉｍｉｔｅｄ）は、消毒を容易にするために、取り外し可能なアセンブリ「ＷＡＴＥＲＴＲＡＩＬ」を備えた商標「ＥＡＳＹＬＯＡＤＥＲ」を附したボトムローディング式ウォーターディスペンサを販売している。しかし、このウォーターディスペンサは生産コストが高く、商業的には成功していない。
【０００４】
米国特許第８，８８７，９５５号及び第９，５２７，７１４号に開示されるボトムローディング式液体ディスペンサは、洗浄又は交換のために簡単且つ容易に取り外すことができる取り外し可能な液体輸送アセンブリを含み多くの有利な機能を有している。トップローディング式液体ディスペンサ及びボトムローディング式液体ディスペンサは、共に、様々な温度で水を吐出するように設計されているが、ディスペンサから風味付け飲料を吐出することはできない。以前に「ＡＱＵＡＣＡＦＥ  ｒ」という商標を附して販売されていた液体ディスペンサは、水とコーヒーの両方を吐出するように設計されていた。しかし、この液体ディスペンサは、コーヒー吐出アセンブリ及び水吐出アセンブリを容易に取り外して、洗浄及び／又は交換することができないなどの多くの固有の欠点を有している。
【０００５】
従って、水と１つ以上の風味付け飲料の両方を吐出する改良された液体ディスペンサの必要性が存在している。
【先行技術文献】
【特許文献】
【０００６】
【特許文献１】ＵＳＰ５，３６１，９４２
【特許文献２】ＵＳＰ５，４３９，１４５
【特許文献３】米国公開２００５／００７２８１３
【発明の概要】
【発明が解決しようとする課題】
【０００７】
本発明の目的は、水と風味付け飲料を分配するための、新規で且つ自明でない液体ディスペンサを提供することにある。
【０００８】
本発明の好ましい実施形態の他の目的は、利用者が洗浄又は交換するために、容易に取り外すことができるように構成された風味付け飲料吐出アセンブリを備えている液体ディスペンサを提供することにある。
【０００９】
本発明の好ましい実施形態の他の目的は、風味付け飲料吐出アセンブリを洗浄又は交換できるように、水及び／又は風味付け飲料と接触する風味付け飲料吐出アセンブリの全ての部品が液体ディスペンサのハウジングから容易に取り外し可能に構成されている、風味付け飲料吐出アセンブリを備えた液体ディスペンサを提供することにある。
【００１０】
本発明の好ましい実施形態のさらに別の目的は、風味付け飲料吐出アセンブリ及び水吐出アセンブリの洗浄又は交換できるように液体ディスペンサのハウジングから容易に取り外せるように構成されている、取り外し可能な水吐出アセンブリ及び取り外し可能な風味付け飲料吐出アセンブリを備えた液体ディスペンサを提供することにある。
【００１１】
本発明の好ましい実施形態のさらなる目的は、取り外し可能な風味付け飲料吐出アセンブリが取り外し可能な水吐出アセンブリに接続されて、取り外し可能な水吐出アセンブリから水を受け取るように構成されている取り外し可能な水吐出アセンブリ及び取り外し可能な風味付け飲料吐出アセンブリを備えた液体ディスペンサを提供することにある。
【００１２】
本発明の好ましい実施形態のさらに別の目的は、水吐出アセンブリ及び風味付け飲料吐出アセンブリの効果的な消毒及び／又は交換を可能にしながら、比較的安価に作成される取り外し可能な水吐出アセンブリ及び風味付け飲料吐出アセンブリを提供することにある。
【００１３】
本発明の好ましい実施形態のさらなる目的は、水吐出アセンブリ、風味付け吐出アセンブリ、単一のウォーターポンプ、及び制御システム、及び／又は他の機能（例えば、電圧低減器）を備え、水吐出アセンブリを介して液体ディスペンサから排出される水よりも低い圧力で風味付け飲料吐出アセンブリに水を供給するように構成された液体ディスペンサを提供することにある。
【００１４】
さらに、本発明の好ましい実施形態のさらなる目的は、開放位置と閉鎖位置との間で移動可能なメインハウジングカバーを有するメインハウジングと、水吐出アセンブリと、開放位置と閉鎖位置との間で移動可能なカバーを有する取り外し可能な風味付け飲料吐出アセンブリとを有する液体ディスペンサであって、メインハウジングカバーが開放位置にあるとき、取り外し可能な風味付け飲料吐出アセンブリがメインハウジングから容易に取り外すことができ、取り外し可能な風味付け飲料吐出アセンブリのカバーが開放位置にあってメインハウジングカバーが閉鎖位置にあるとき、一人前分量の風味付け飲料ポッドを取り外し可能な風味付け飲料吐出アセンブリに容易に取り外したり挿入したりすることができるが、取り外し可能な風味付け飲料吐出アセンブリはメインハウジングから取り外すことができないように構成された液体ディスペンサを提供することにある。
【００１５】
本発明の一実施形態は、本発明の上述した目的のすべてを含む必要はないことを理解しなければならない。むしろ、所与の実施形態は、上述した目的の１つを含むか、或いは１つも含まなくてもよい。従って、これらの目的は、本発明の特許請求の範囲を限定するために使用されるものではない。
【課題を解決するための手段】
【００１６】
要約すると、本発明の１つの好ましい実施形態は、水及び風味付け飲料を分配するための液体ディスペンサに向けられる。液体ディスペンサは、水吐出アセンブリと、風味付け飲料吐出アセンブリと、メイン貯水器とを含んでいる。液体ディスペンサはさらに、水吐出アセンブリの少なくとも一部と、風味付け飲料吐出アセンブリの少なくとも一部とメイン貯水器を格納するためのメインハウジングを含む。風味付け飲料吐出アセンブリは、一人前分量の風味付け飲料を吐出するためのポッドを受け取るためのポッド受け取り部材を備えている。前記風味付け飲料吐出アセンブリは、前記風味付け飲料吐出アセンブリを交換又は消毒することができるように前記ハウジングから取り外し可能となっている。
【００１７】
本発明の別の好ましい実施形態は、水及び風味付け飲料を分配するための液体ディスペンサに向けられる。液体ディスペンサは、水吐出アセンブリと、風味付け飲料吐出アセンブリと、貯水器とを含んでいる。液体ディスペンサはさらに、水吐出アセンブリの少なくとも一部と、風味付け飲料吐出アセンブリの少なくとも一部と、貯水器とを格納するための液体ディスペンサハウジングを含む。風味付け飲料吐出アセンブリは、交換又は消毒することができるように液体ディスペンサハウジングから取り外し可能となっている。前記水吐出アセンブリは、交換又は消毒することができるように前記液体ディスペンサハウジングから取り外し可能となっている。水吐出アセンブリは貯水器に接続されて、貯水器から水を受け取る。風味付け飲料吐出アセンブリは水吐出アセンブリに接続されて、水吐出アセンブリから水を受け取る。
【００１８】
本発明のさらなる好ましい実施形態は、水及び風味付け飲料を分配する液体ディスペンサに向けられる。液体ディスペンサは、水吐出アセンブリと、風味付け飲料吐出アセンブリと、貯水器とを含んでいる。液体ディスペンサはさらに、水吐出アセンブリの少なくとも一部と、風味付け飲料吐出アセンブリの少なくとも一部と、貯水器とを格納するための液体ディスペンサハウジングを含む。貯水器から水吐出アセンブリ及び風味付け飲料アセンブリに水を汲み上げるための単一のウォーターポンプをさらに含んでいる。制御システムは、前記単一のウォーターポンプに接続され、前記水吐出アセンブリによって前記液体ディスペンサから排出される水よりも低い圧力で前記風味付け飲料吐出アセンブリに水を供給する。
【００１９】
上述した本発明の好ましい実施形態は、本発明の好ましい実施形態の様々な例を提供するものであり、本発明を上述したいずれかの好ましい実施形態に限定するものとして解釈されるものではない。
【図面の簡単な説明】
【００２０】
【図１】図１は、本発明の好ましい実施形態に従って形成された液体ディスペンサの斜視図である。
【図１Ａ】図１Ａは、図１に描かれた液体ディスペンサの部分斜視図であり、下側の前面パネル部を上向きにスライドさせて、交換可能な５ガロンのウォーターボトルを明らかにしている。
【図２】図２は、取り外し可能な風味付け飲料アセンブリのカバーが開いた位置にある、図１に描かれた液体ディスペンサの拡大部分斜視図である。
【図３】図３は、図１に示された液体ディスペンサのコントロールパネルの拡大図である。
【図４】図４は、取り外し可能な風味付け飲料アセンブリのカバーが閉じた位置にある、図１に描かれた液体ディスペンサの拡大部分斜視図である。
【図５】図５は、第２のカップ支持体が収納位置に示されている、図４に描かれた液体ディスペンサの拡大部分斜視図である。
【図６】図６は、液体ディスペンサのカバーが開放位置にある、図１に描かれた液体ディスペンサの拡大部分斜視図である。
【図７】図７は、液体ディスペンサのカバーが別の視点からみた開放位置にある、図１に描かれた液体ディスペンサの拡大部分斜視図である。
【図８】図８は、液体ディスペンサのカバーが開放位置にあり、且つ、液体ディスペンサのカバーと、風味付け飲料吐出アセンブリ用のロック部材がロックされた位置にある、図１に描かれた液体ディスペンサの拡大部分斜視図である。
【図９】図９は、液体ディスペンサのカバーが開放位置にあり、且つ、風味付け飲料吐出アセンブリのロック部材がロックされていない位置にある、図１に描かれた液体ディスペンサの拡大部分斜視図である。
【図１０】図１０は、液体ディスペンサのカバーが開放位置にあり、且つ、風味付け飲料吐出アセンブリが液体ディスペンサから取り外された状態にある、図１に描かれた液体ディスペンサの拡大部分斜視図である。
【図１１】図１１は、様々な内部構成要素がより容易に見えるようにその一部が取り除かれている、図１に描かれた液体ディスペンサの拡大部分斜視図である。
【図１２】図１２は、図１１と同様の拡大部分斜視図である。
【図１３】図１３は、風味付け飲料吐出アセンブリのカバーが開放位置にある風味付け飲料吐出アセンブリの好ましい形態の拡大斜視図である。
【図１４】図１４は、本発明の好ましい実施形態の概略図である。
【図１５】図１５は、本発明の好ましい実施形態の別の概略図であり、破線は、液体ディスペンサのメインハウジングから容易に取り外すことができる構成要素を示す。
【図１６】図１６は、取り外し可能な水吐出アセンブリの多くの実施形態の１つの拡大部分断面図である。
【図１７】図１７は、取り外し可能な水吐出アセンブリ及び水吐出アセンブリを取り外し可能で交換可能な貯水器に接続するための関連部品の断面図である。
【図１８】図１８は、取り外し可能な水吐出アセンブリのためのウォーターマニホールドの多くの形態の１つの透視図である。
【図１９】図１９は、取り外し可能な水吐出アセンブリのためのウォーターマニホールドの多くの形態の１つの透視図である。
【図２０】図２０は、取り外し可能な水吐出アセンブリのためのウォーターマニホールドの多くの形態の１つの透視図である。
【発明を実施するための形態】
【００２１】
本発明の好ましい実施形態を、次に、図１から図２０を参照して説明する。添付の特許請求の範囲は、好ましい実施形態に限定されるものではなく、本明細書で使用されるいかなる用語及び語句も、明示的に別段の記載がない限り、その通常の意味以外の意味を付与するものではない。
【００２２】
（図１〜２０）
図１から図２０を参照して、本発明の好ましい形態を用いた液体ディスペンサＡが多くの可能性がある構成の１つで例示されている。最も好ましい実施形態では、液体ディスペンサＡは、人が飲用する水と風味付け飲料を分配する。液体ディスペンサＡによって分配される水及び風味付け飲料は、冷たい、常温の及び／又は温かいものであってもよい。風味付け飲料は、コーヒー、紅茶及び／又はホットチョコレートを含み、これらに限定されない。
【００２３】
液体ディスペンサＡは、液体ディスペンサの構成機器を収容するための実質的に中空の内部キャビティを有するメインハウジングＢと、液体吐出箇所Ｃと、貯液器Ｅを直立状態に受け入れて収納するためにメインハウジングＢの下部部分Ｄに形成された中空の貯液器部１（例えば図１Ａ参照）とを含む。メインハウジングＢの下部部分の１つ又は複数の部分は、個人が貯液器Ｅにアクセスしたり、取り外したり、交換したりできるように、取り外し可能又は移動可能であってもよい（例えば、貯液器Ｅへのアクセスを可能にするために上方にスライド可能な下部前面パネルを示す、図１Ａを参照）。
【００２４】
液体ディスペンサＡはさらに、メインハウジングＢの後部に枢動可能に接続されたカバーＦを含む。任意の適切なラッチ機構は、カバーＦが、例えば図１に示される閉鎖ラッチ位置と、例えば図６に示される開放ラッチ解除位置との間で移動できるように、カバーＦの前方端部がメインハウジングＢの対応する前方端部に固定及び解放されるように用いてもよい。
【００２５】
貯液器Ｅは、好ましくは、直立状態に配向された交換可能な５ガロンのウォーターボトルである。しかし、水の供給源は、メインハウジングＢの上部に取り付けられた倒立式の水源（例えば、倒立式の交換可能な５ガロンのウォーターボトル）又はメインハウジングＢの外部の水源を含むがこれらに限定されないことを理解されたい。
【００２６】
例えば、図１及び図２を参照すると、上部／第２のカップ支持部材Ｇは、下部／第１のカップ支持部材及びドレイン／ドリップトレイＨ上方のメインハウジングＢ外部の前面に着脱可能及び／又は枢動可能に接続されている。複数のフランジ／リップ／ポケットがメインハウジングＢ外部の前面に上下に形成され、カップ支持部材Ｇ用に複数の任意の高さ位置に設けられている。同様に、カップ支持部材Ｇは、好ましくは、メインハウジングＢ外部の前面に形成されたフランジ／リップ／ポケットと嵌合する相補的な構造を有している。カップ支持部材Ｇは、カップ支持部材Ｇが操作位置（例えば、図１参照）と収納位置（例えば、図２参照）との間で移動することができるように、メインハウジングＢ外部の前面に枢動可能に又は他の方法で接続されてもよい。
【００２７】
カップ支持部材Ｇは、好ましくは、均一に間隔をあけた複数の開口部２を含み、部材Ｇに取り付けたカップを充填する間に、こぼれた液体が、カップ支持ドレイン部Ｈに形成された１つ以上の開口部４を通って、カップ支持ドレイン部Ｈの本体６に形成された中空の内部キャビティに回収されるようになっている。同様に、カップがカップ支持ドレイン部Ｈの上面に装着されている間、こぼれた液体は、開口部４から本体６に形成された中空の内部キャビティに導かれて回収されることになる。本体６は、メインハウジングＢから取り外し可能にすることにより、内部キャビティに回収された液体を空にしてもよい。あるいは、本体６は、本体６内に回収された液体を空にできるドレインを備えてもよい。
【００２８】
液体ディスペンサＡは、さらに好ましくは、以下でより詳細に説明するように、貯液器Ｅに操作可能に接続された水吐出アセンブリＩと風味付け飲料吐出アセンブリＪを含む。水吐出アセンブリＩ及び風味付け飲料吐出アセンブリＪは、好ましくは、メインハウジングＢから単独で取り外し可能であって、いずれか又は両方の吐出アセンブリが交換、取り外し及び消毒、又は他の方法での洗浄ができるようになっている。
【００２９】
水吐出アセンブリＩは、米国特許第８，８８７，９５５号及び／又は第９，５２７，７１４号に開示される液体輸送アセンブリのいずれかの形態をとり得る。しかし、水吐出アセンブリＩは、非着脱可能な水吐出アセンブリを含むが、これに限定されず多くの他の形態を取ってもよい。
【００３０】
例えば、図１４、図１５及び図１７から図２０を参照すると、取り外し可能な水吐出アセンブリＩは、好ましくは、取り外し可能な液体輸送／マニホールドアセンブリ７を含んでいる。取り外し可能な液体輸送／マニホールドアセンブリ７は、米国特許第８，８８７，９５５号及び／又は第９，５２７，７１４号に開示されるように、実質的に剛性のある液体マニホールド１０に取り外し可能に接続された実質的に剛性のある導管ハウジング８を含み、その内容の全体が参照により本明細書に組み込まれる。導管ハウジング８及びマニホールド１０は、プラスチックを含む任意の適切な材料から形成してもよい。導管ハウジング８を液体マニホールド１０に取り外し可能に固定するために、任意の適切な締結具を使用してもよい。さらに、導管ハウジング８は、液体マニホールド１０に恒久的に固定されてもよく、又は液体マニホールド１０と一体に形成されてもよい。
【００３１】
導管ハウジング８は、好ましくは、冷水吐出／ピンチチューブ１２及び吐出ノズル１４を収容する。最も好ましい実施形態では、ピンチチューブ１２及び吐出ノズル１４は、シリコンゴムの単一ピースから形成される。しかし、ピンチチューブ１２及び吐出ノズル１４は、液密状に接続される別個のピースから形成してもよい。
【００３２】
液体マニホールド１０は、例えば、図１４から図２０を参照すると、下部チャンバ１６、１７、上部チャンバ１８及び小さなベントホール２０を含んでいる。液体マニホールド１０はさらに、内ネジ式カラー２２及び第２の吐出口２４を含む。下部チャンバ１６は、好ましくは、例えば図１９にみられるように、下部チャンバ１７よりも小さい。
【００３３】
カバープレート１９は、例えば、図２０にみられるように、下部チャンバ１６と下部チャンバ１７を分離している。カバープレート１９に形成された開口部２１は、液体が下部チャンバ１６から下部チャンバ１７に通過することを可能にする。下部チャンバ１７と上部チャンバ１８は、壁部２３を共有する。さらに、壁部２３は、上部チャンバ１８の最下部を形成している。
【００３４】
取り外し可能な液体輸送／マニホールドアセンブリ７は、例えば、図１６にみられるように、さらに、カラー２２の内ネジに対応する外ネジを備えたネック部分を有するリザーバ２６を含んでいるので、リザーバ２６は液体マニホールド１０に容易に着脱可能に接続される。
【００３５】
リザーバ２６は、好ましくは、メインハウジングＢに取り付けられたリザーバハウジング内に着脱可能に収容される。リザーバハウジングは、好ましくは、冷却装置に接続されるか、又はこれらと一体的に形成されて、リザーバ２６内の水を任意の所望の温度に冷却する。リザーバハウジング及び冷却装置は、米国特許第８，８８７，９５５号及び／又は第９，５２７，７１４号に開示される形態、又は他の任意の適切な形態をとることができる。リザーバ２６は、上述のネジ式接続以外の多数の方法で液体マニホールド１０に接続してもよい。
【００３６】
取り外し可能な水吐出アセンブリＩは、さらに好ましくは、例えば、図１７にみられるように、リザーバ浸漬チューブ２８、ポンプヘッド３０、バルブアセンブリ３２、ライザーチューブ３４、ライザーチューブ３４の下端４０に取り外し可能に接続するための接続部材３８を備える貯液器浸漬チューブ３６を含む。貯液器浸漬チューブ３６は、例えば、図１Ａに示すように、容器Ｅのキャップ４２を介して貯液器Ｅ内に延びている。ポンプヘッド３０及びバルブアセンブリ３２は、米国特許第８，８８７，９５５号及び／又は米国特許第９，５２７，７１４号に開示されるいずれかの形態をとることができる。ポンプヘッド３０は、メインハウジングＢ内に収容された吸引ポンプ４１に着脱可能に接続してもよい。 
【００３７】
カバーＦが開放位置にあるとき（例えば、図６参照）、そしてライザーチューブ３４が浸漬チューブ３６の接続部材３８から切り離されたとき、浸漬チューブ３６、接続部材３８及びキャップ４２以外の図１７に示すすべての構成機器は、メインハウジングＢから容易に取り外すことができる。あるいは、一旦キャップ４２が貯液器Ｅから切り離されると、図１７に示すすべての構成機器は、メインハウジングＢから容易に取り外すことができる。 例えば、図８にみられるように、水平方向に延びる枢動部材４１と、部材４１に着脱可能に接続され且つロック位置に偏って垂直方向に延びるラッチ部材４３とを含むロック部材３９を設けて、水吐出アセンブリＩの取り外しを防止するようにしてもよい。ラッチ部材４３がばねバイアスに打ち勝つのに十分な力で右方向（図８にみられるように）へ移動すると、部材４１は、上向き且つ左方向に枢動且つ移動し、上述したように水吐出アセンブリＩの各種構成機器を取り外し可能にすることができる。   
【００３８】
第２の吐出口２４は、好ましくは、例えば、図１４及び図１５にみられるように、温水供給コネクタ４６及び導管４７を介して温水リザーバ４４に接続される。温水供給コネクタ４６は、吐出口２４を導管４７に解放可能に接続するように構成されているので、水吐出アセンブリＩはメインハウジングＢから容易に取り外せる。例えば、任意のロック部材３９が解放されると、水吐出アセンブリＩは温水供給コネクタ４６が個人によってアクセス可能な位置まで上げられ、個人が水吐出アセンブリＩからコネクタ４６及び／又は導管４７を脱着させてメインハウジングＢから水吐出アセンブリＩを取り外せるようにしてもよい。あるいは、ディスペンサＡは、カバーＦが開放位置にあるとき、個人がコネクタ４６及び／又はリザーバ４４に接続された導管４７の端部にアクセスして、水吐出アセンブリＩを取り外せるように構成してもよい。さらに、ディスペンサＡは、カバーＦが開放位置にあり、任意のロック部材３９がロック解除位置に移動して、部材７が個人によって持ち上げられると、吐出口２４が水吐出アセンブリＩにかかる揚力によってコネクタ４６から取り外されるように構成してもよい。
【００３９】
温水リザーバ４４は、リザーバ４４に収容された水を加熱する発熱体と関連している。例えば、リザーバ４４は、任意の適切な発熱体に操作可能に関連／接続された支持部材内に収容されてもよい。あるいは、発熱体は、リザーバ４４内に配置されてもよい。
【００４０】
冷水吐出レバー４５は、吐出ノズル１４を介したリザーバ２６からの冷却水の流れを調整して、ディスペンサＡから冷水を吐出させている。図１４を参照すると、ピンチバルブ４８は、冷水タップレバー４５に操作可能に関連して、吐出ノズル１４からの冷却水の流れを調整している。具体的には、ピンチバルブ４８は、よく知られている方法でピンチチューブ１２に作用して、冷水吐出レバー４５が押されるまで、吐出ノズル１４からの冷却水の流れを阻止している。ばねはレバー４５を上方に偏らせて、ピンチバルブ４８にピンチチューブ１２を閉じさせてもよい。
【００４１】
レバー４５を押す人がばねのバイアス力に打ち勝つと、マイクロスイッチがメインハウジングＢに格納されポンプヘッド３０に着脱可能に接続された自吸式吸引ポンプ４１を作動させて、水を容器Ｅから浸漬チューブ３６及びライザーチューブ３４を通して上方に汲み上げる。液体はバルブアセンブリ３２及びポンプヘッド３０を介して移動し、開口部２１を通って下部チャンバ１７に入る。チャンバ１７を流れる液体はリザーバ２６（貯蔵される水を冷却する）に排出され、リザーバ２６に貯蔵されている冷却水は、順々に、浸漬チューブ２８を通って上向きに上部チャンバ１８へ入り吐出ノズル１４から出る。ポンプヘッド３０、バルブアセンブリ３２及び吸引ポンプ４１は、米国特許第８，８８７，９５５号及び／又は第９，５２７，７１４号に開示された形態、又は任意の他の適切な形態をとることができる。
【００４２】
次に、取り外し可能な風味付け飲料吐出アセンブリＪの好ましい実施形態を、図１から図１５を参照して説明する。例えば、図２、図１０及び図１３にみられるように、風味付け飲料吐出アセンブリＪは、任意のポッド受け取り部材５２を受け取って収容するための内部キャビティ５１を有するハウジング５０と、ポッド受け取り部材５２内に着脱可能に収容される一人前分量の風味付け飲料ポッド５４とを含んでいる。ポッド受け取り部材５２は、ハウジング５０の内部を、風味付け飲料ポッド５４を直接受け取るように構成するだけで、省略することができる。一人前分量の風味付け飲料ポッド５４は、水と混合して風味付け飲料をつくる内容物を含んでいる。例えば、風味付け飲料ポッド５４は、水と混合してコーヒーをつくるコーヒー形成内容物（例えば、粉コーヒー）を含んでいてもよい。ポッド５４は、一人前分量の風味付け飲料ポッドとして説明してきたが、２人前以上を分配できる。ポッド５４の内容物は変更し易く、水と混合したときに使用者に適した任意の風味付け飲料を吐出してもよい。
【００４３】
好ましくは、ポッド受け取り部材５２は、ハウジング５０から取り外し可能であり、且つ、個人の指を受け取る大きさにした指入れ５３を含んでいて、この指入れ５３は個人が持ち上げるだけで簡単にハウジング５０から取り外せる。ハウジング５０は、好ましくは、ハウジング５０の後部又は背部に枢動的に接続されるカバー５６を含んでいて、カバー５６が、例えば図２及び図１３に示される開放位置と、例えば図１に示される閉鎖位置との間で旋回できるようになっている。カバー５６は、他の適切な方法でハウジング５０の本体に解放可能に接続してもよい。
【００４４】
カバー５６をハウジング５０の本体に解放可能に接続するために任意の適切なロック又はラッチ機構５７を使用してもよい。また、風味付け飲料吐出アセンブリＪは開閉可能なカバーを設けずに形成することができる。この場合、風味付け飲料吐出アセンブリＪは、風味付け飲料の複数回の提供又は個々の提供ごとに取り外して交換することができる。
【００４５】
図６から図９、図１１及び図１３を参照すると、ハウジング５０は、ロック又はラッチ部材６４、６６をそれぞれ受け取るハウジング５０外部に形成される円弧状の凹部ロック部分６０、６２を含んでいる。ロック又はラッチ部材６４、６６は、非ロック又は非ラッチ位置（例えば図９参照）からロック又はラッチ位置（例えば図８参照）までの間で鉛直方向に延びる部材／ピン周りに回転する回転ボタン型のラッチ又はロックの形態をとることができる。ロック部分６０、６２は、それぞれ、円弧状に形成され、且つ、内向きに延びるキャビティ６８及び底壁部分７０を含んでいる。円弧状キャビティ６８は、対応する部材６４、６６の相補的な形状の端部を受け取る。底壁部分７０は、対応する部材６４、６６がラッチされた位置又はロックされた位置にあるときに、吐出アセンブリＪの上方への移動を防止する。
【００４６】
吐出アセンブリＪは、例えば図１３にみられるように、実質的に剛性のある中空アーム７２と、アーム７２から下方に延びる吐出ノズル７４とを含んでいる。ハウジング５０はさらに、温水給水口７６、水導管７８、及び蓋開閉器８０を含んでいる。カバー５６は、複数の開口部８３を有するポッド貫通部材８２を含み、前記開口部８３は、好ましくは、部材８２の外面に形成される。水導管７８は、ポッド貫通部材８２に接続される。
【００４７】
カバー５６が閉じられてポッド５２がハウジング５０内にあるとき、部材８２がポッド５４の上面を貫通し部材８２の開口部８３がポッド５４内に配置されるので、導管７８を通って送られる水は直接ポッド５４に送られる。ハウジング５０は、液体がポッド５４を通ってハウジング５０の内部キャビティ５１の下部に入るように構成されている。内部キャビティ５１はアーム７２に接続されているので、ポッド５４を通る水でつくられる風味付け飲料はアーム７２の中空キャビティ内に入って吐出ノズル７４から出る。
【００４８】
図１４及び１５を参照すれば、液体ディスペンサＡは、さらにリザーバ４４に操作可能に接続された蒸気放出バルブ９０を含み、必要に応じてリザーバ４４から蒸気を放出する。バルブ９０は、手動又は自動的に作動させることができる。
【００４９】
リザーバ４４は、例えば図１１、図１４及び図１５に示すように、導管９３を介して温水吐出導管９２に接続され、風味付け飲料吐出アセンブリＪを通すことなくディスペンサＡから温水を吐出している。導管９３の下端は、好ましくは、温水又は加熱された水が温水吐出導管９２に供給されるように、リザーバ４４の上部で終端する。
【００５０】
温水タップレバー９４は、リザーバ４４からの吐出導管９２を介した温水の流れを調整する。第２の制御又は安全制御（例えば、安全ボタン）をレバー９４に操作可能に接続して、レバー９４が作動した場合でも温水が吐出されるのを防止している。すなわち、温水は、安全ボタンとレバー９４の両方が作動した場合に吐出するだけである。図１４及び図１５を参照すると、ピンチバルブ９６は、温水タップレバー９４に操作可能に関連して、吐出導管９２からの温水又は加熱された水の流れを調整する。具体的には、ピンチバルブ９６はよく知られた方法で導管に作用して、レバー９４が押されるまで、吐出導管９２から温水又は加熱された水が流出するのを阻止している。ばねはレバー９４を上方に偏って、ピンチバルブ９６に導管９２を閉じさせる。レバー９４を押す人がばねのバイアス力に打ち勝って既存の安全ボタンが作動されると、マイクロスイッチが自吸式吸引ポンプ４１を作動させて、水を第２の吐出口２４から排出させる。水は導管４６を移動し、温水リザーバ４４に入り、温水リザーバ４４から加熱された水を導管９３に送り出し、吐出導管９２から排出する。上述では、ピンチバルブが温水及び冷水吐出導管／ノズルからの水の流れを調整すると説明したが、他の任意の適切な制御機構を使用して液体ディスペンサＡからの温水及び冷水の流れを調整するようにしてもよい。 
【００５１】
導管１００は、一端がチューブ９３に接続され、他端が風味付け飲料供給コネクタ１０２に接続されており、このコネクタは、ハウジング５０の下面から下方に延びる給水口７６に接続される。風味付け飲料供給コネクタ１０２は、好ましくは、風味付け飲料供給コネクタ１０２が給水口７６から切り離されても水が導管１００から流出しないように閉止弁を含んでいる。流量測定ユニット／装置１０６は、導管１００に接続されて、導管１００を通る水の流量を測定する。電磁弁１０８は、導管１００に接続されて、給水口７６への温水の流れを調整する。スイッチ１１０は、カバー５６が閉鎖位置にあるときに検知する。
【００５２】
液体ディスペンサＡは、例えば図３に示すように、風味付け飲料吐出アセンブリＪを作動させるための制御パネル１２０を含み、液体ディスペンサＡから風味付け飲料を吐出する。
【００５３】
風味付け飲料吐出アセンブリＪと風味付け飲料供給コネクタ１０２との分離（例えば、カバー５６が開かれ、風味付け飲料吐出アセンブリＪがハウジング５０から取り外されたとき）により、風味付け飲料供給コネクタ１０２の閉止弁が閉じられる。なお、風味付け飲料供給コネクタ１０２の閉止弁は任意であり、なくてもよい閉止機構である。具体的には、カバー５６が開いているとき、制御システムは、好ましくは、電磁弁１０８を閉じるように構成され、水が風味付け飲料吐出アセンブリＪに流れるのを防止する。風味付け飲料吐出アセンブリＪを取り外しても同様の効果が得られる。
【００５４】
表示灯１３６は、水が風味付け飲料を吐出するのに適した温度に加熱されていない場合に点滅する。通常、好ましくは、制御システムが定期的にリザーバ４４を補充するように構成されているので、リザーバ４４には十分な温水がある。しかし、利用者がディスペンサを操作して、連続した温水吐出状態（例えば、複数の温水のみの吐出、又は複数のホット風味付け飲料の吐出、又はそれらの組み合わせ）が短期間に発生するような場合、後続の温水吐出が温水吐出のみであってもホット風味付け飲料吐出であっても発生する前に、リザーバ４４内の水（システムによって継続的に補充される）を加熱することが必要かもしれない。水が風味付け飲料を吐出するのに適した温度にあるとき、表示灯１３２、１３４が点灯して、利用者に、ディスペンサの抽出準備ができ、風味付け飲料ポッドの装填が必要であることを知らせる。
【００５５】
カバー５６が閉じると（例えば、表示灯１３２、１３４の点灯に応答して、利用者が風味付け飲料ポッドを装填してカバー５６を閉じたときのように）、表示灯１２４が点灯して、利用者にカップサイズを８オンスの作動部材１２６、１０オンスの作動部材１２８、及び１２オンスの作動部材１３０の中から選択するよう信号が送られ、選択された量の風味付け飲料が液体ディスペンサＡから吐出される。ディスペンサＡから吐出される風味付け飲料のサイズ又は量は、所望に応じて容易に変更することができる。カップサイズ選択機能は時間的制約があるので、すなわち、表示灯１２４の最初の点灯から所定の時間（例えば１０秒）内に作動部材１２６、１２８、１３０のうち１つが選択されない場合、抽出工程はリセット／停止し、システムは、抽出工程が再開される前に、カバー５６が閉じられるのを待つことになる。作動部材１２６、１２８、１３０のうち１つの初期作動の後、利用者は、作動部材１２６、１２８、１３０のうち別のものを作動させて、後続の作動が直前の選択から１０秒又は他の所定の時間内に起こることを条件に、利用者の先行選択又は初期選択から吐出された風味付け飲料の量を変更することができる（すなわち、システムのタイムアウトは、所定の非作動期間の後に行われる）。 
【００５６】
作動部材１２６、１２８及び１３０のうち１つが作動されると、抽出作動部材１２２は点灯し、利用者に合図し、当該部材を作動させて、選択された量の風味付け飲料を吐出させる。作動部材１２２が作動すると、選択された量の風味付け飲料が吐出される。流量計１０６は、アセンブリＪに送られる温水の量が作動部材１２６、１２８、１３０を使用して利用者によって選択された提供サイズに対応することを保証する。作動部材１２２の作動は、また時間的制約があり、すなわち、直近のカップサイズ選択から所定の時間（例えば、１０秒）内に作動部材１２２が作動されない場合、抽出工程はリセット／停止し、システムは、抽出工程が再開される前に、カバー５６が閉じられるのを待つことになる。利用者が作動部材１２６、１２８、１３０のいずれかを適時に選択しなかったか、又は作動部材１２２を適時に起動しなかったために抽出工程がタイムアウトした場合、利用者はカバー５６を開閉するだけで抽出工程を再開することができる。抽出中に、抽出ボタン１２２を長押しすると（例えば、５秒）、抽出工程は終了し、カバー５６が開閉されるまで再開されない。
【００５７】
水を５ガロンのウォーターボトルから冷水及び温水吐出導管／ノズルに送るポンプ４１は、好ましくは１２ボルトで運転される。同じポンプ４１が、風味付け飲料吐出アセンブリＪ及び水吐出アセンブリＩに水を吸い上げる。具体的には、風味付け飲料の吐出工程中、ポンプ４１は、水を液体マニホールド１０に吸い上げ、吐出口２４から排出し、その後、リザーバ４４に送る。レバー９４が作動していないとき、すなわち風味付け飲料を吐出するときの場合、温水はリザーバ４４を出て、導管１００を通って導管７８の中へと移動する。温水は、穿孔部材８２を通ってポッド５４に入り、最終的にノズル７４から出ることになる。容易に理解されるであろうが、コネクタ１０２内の電磁弁１０８及び閉止弁は、上述した方法で温水が移動するために開いていなければならない。         
【００５８】
しかし、ポンプ４１（例えば、１２ボルトポンプ又は任意の他の適切な電圧ポンプ）が、ホット風味付け飲料を吐出するのに必要な時間の間、最大ポンプ出力で連続的に（すなわち、いかなる種類の中断もなく）作動する場合、風味付け飲料吐出アセンブリＪに供給される水の圧力が高すぎて、温水の流出又は他の望ましくない結果を引き起こす可能性が高くなる。ポンプ４１によって風味付け飲料吐出アセンブリＪに供給される水の圧力は、ポンプ４１をオンサイクルとオフサイクルとの間で循環させることと組み合わせて、非常に高い周波数で電子パルス幅変調器を使用することによって、許容レベルまで低減されるのが好ましい。オンサイクルでは、トランジスタスイッチはオンであり、ポンプ４１に全電力が供給される。オフサイクルでは、トランジスタスイッチはオフであり、ポンプ４１には電力が供給されないので、ポンプ４１はオフである。最も好ましい実施形態では、オンサイクルは２秒であり、オフサイクルは３秒である。しかし、これらの時間は、所望に応じて容易に変更することができる。オンオフサイクルは、レバー４５、９４の作動による冷水及び温水の吐出サイクル中にポンプ４１によって供給される水の圧力から、風味付け飲料吐出アセンブリＪにポンプ４１によって供給される水の圧力を下げる。
【００５９】
電子パルス幅変調器は、オンサイクルの全期間にわたってトランジスタスイッチ作動ポンプ４１がオンのままであるオンサイクルの間使用され、ポンプ４１によって風味付け飲料吐出アセンブリＪに供給される水の圧力をさらに下げる。より具体的には、電子パルス幅変調器は、周波数を一定に保ちながら、ポンプのデューティサイクル、即ち、出力電圧がオフの時と比較してオンの時間の割合を変化させる一連のオンオフパルスを発生させる。例えば、オンパルスは５０ミリ秒、オフパルスは５０ミリ秒とすることができる。あるいは、オンパルスはオフパルスよりも長くすることができ、例えば、オンパルスが６０ミリ秒、オフパルスが４０ミリ秒であってもよい。オンオフパルスは、オンオフサイクルによって達成された圧力調整から、ポンプ４１によって汲み上げられた水の圧力をさらに下げる。  
【００６０】
減電圧器又は他のモーター制御を使用して、風味付け飲料吐出アセンブリＪに供給される水の圧力を必要に応じて低減させることができる。 
【００６１】
流量計１０６によって決定されて、適正量の水が風味付け飲料吐出アセンブリＪに流れたとき、ポンプは停止し、少し遅れて圧力を下げるために電磁弁１０８が閉じられる。選択された量（例えば、８オンス、１０オンス又は１２オンス）の風味付け飲料が吐出された後、エアポンプ１５０が所定の期間（例えば、短時間が好ましい）作動して、一人前分量のポッド及び風味付け飲料吐出アセンブリＪから残留水を洗い流すことにより、利用者が一人前分量のポッド及び／又は風味付け飲料吐出アセンブリＪを取り外す際に、最小限の滴下で一人前分量のポッド及び／又は風味付け飲料吐出アセンブリＪを取り外すことができるようにする。一方向弁１５２は、水がエアポンプ１５０に逆流するのを防止している。
【００６２】
好ましくは、カバー５６が開いているとき、電磁弁、ウォーターポンプ及びエアポンプは閉鎖／遮断／阻害／作動が阻止されて、水及び／又は空気が風味付け飲料吐出アセンブリＪに導入されるのを阻止する。
【００６３】
風味付け飲料吐出アセンブリＪが取り外されると、風味付け飲料吐出アセンブリＪに流れる水は、電磁弁１０８の閉鎖及び抽出物供給コネクタ１０２内の閉止弁の閉鎖によって遮断され、カバー検出スイッチは、カバーが開いた状態をシミュレートして無効化される。
【００６４】
風味付け飲料吐出アセンブリＪは温水リザーバ４４に接続されて、温水を風味付け飲料吐出アセンブリＪに送ることが示されたが、温水接続に加えて、又は温水接続の代わりに、風味付け飲料吐出アセンブリＪが液体マニホールド１０に接続されて、冷却水又は常温水をポッド５４に送られるのも本発明の範囲内であり、すなわち、液体ディスペンサＡは、加熱、冷却又は常温の風味付け飲料又はそれらの任意の組み合わせを分配するように構成することができる。
【００６５】
本発明は好ましい実施形態を有するものとして記載されてきたが、好ましい実施形態は、本発明の主旨に従って変更又は適応させることができ、本発明が属する技術分野における既知又は慣例の範囲内に入るような本発明からの逸脱を含み、これらに限定されるものではない。特許請求の範囲は、好ましい実施形態に限定されるものではなく、請求項の識別の原則を用いるような狭義の構造を排除するように記載されている。 
【図１】
2022501272.tif 000003
【図１Ａ】
2022501272.tif 000004
【図２】
2022501272.tif 000005
【図３】
2022501272.tif 000006
【図４】
2022501272.tif 000007
【図５】
2022501272.tif 000008
【図６】
2022501272.tif 000009
【図７】
2022501272.tif 000010
【図８】
2022501272.tif 000011
【図９】
2022501272.tif 000012
【図１０】
2022501272.tif 000013
【図１１】
2022501272.tif 000014
【図１２】
2022501272.tif 000015
【図１３】
2022501272.tif 000016
【図１４】
2022501272.tif 000017
【図１５】
2022501272.tif 000018
【図１６】
2022501272.tif 000019
【図１７】
2022501272.tif 000020
【図１８】
2022501272.tif 000021
【図１９】
2022501272.tif 000022
【図２０】
2022501272.tif 000023
【国際調査報告】
2022501272.tif 000024
2022501272.tif 000025
2022501272.tif 000026
2022501272.tif 000027